(57)【特許請求の範囲】
【請求項１】
基板と、
前記基板上に形成された平面コイルであり、ＬＣ共振回路を構成する検出コイルと、
前記ＬＣ共振回路を構成するコンデンサーと、
前記基板上に形成され、前記検出コイルと前記コンデンサーとを接続する配線と、
導体部材と、
前記導体部材と前記検出コイルとが対向する面積、及び、前記導体部材と前記配線とが対向する面積の少なくともいずれか一方が可変可能に、前記導体部材の位置を調節する調節部と、を備え、
前記導体部材は、第１の導体部材と第２の導体部材とを含み、
前記調節部は、前記第１の導体部材と前記検出コイルとが対向する面積が可変可能に、前記第１の導体部材の位置を調整する第１の調節部と、前記第２の導体部材と前記配線とが対向する面積が可変可能に、前記第２の導体部材の位置を調節する第２の調節部と、を含み、
前記配線は、前記第２の導体部材と対向する部分が、他の部分と比べて太い幅を有する、センサー装置。
【請求項２】
前記基板上に形成され、前記検出コイル及び前記配線を覆う絶縁性の表面保護膜を備え、
前記調節部は、前記導体部材を前記表面保護膜上でスライドさせて、前記導体部材の位置を調節する請求項１に記載のセンサー装置。
【請求項３】
像担持体と、
前記像担持体に静電潜像を描画する露光部と、
前記像担持体に描画された前記静電潜像にトナーを供給して前記静電潜像を現像する現像部と、
前記現像部のトナーの濃度又は残量を検出する請求項１又は２に記載のセンサー装置と、を備える画像形成装置。
【発明の詳細な説明】
【技術分野】
【０００１】
本発明は、例えば、画像形成装置に備えられる現像部のトナーの濃度や残量を検出するために使用されるセンサー装置、及び、これを備える画像形成装置に関する。
【背景技術】
【０００２】
電子写真方式の画像形成装置は、現像部のトナーの濃度や残量を検出するためのセンサー装置を備える。このようなセンサー装置として、例えば、特許文献１は、第１のコイルを含む第１の共振回路と、第１のコイルと磁気結合された第２のコイルを含む第２の共振回路と、第１の共振回路を構成するコンデンサー及び第２の共振回路を構成するコンデンサーとして機能する共用コンデンサーと、を備えるセンサー装置を開示している。
【先行技術文献】
【特許文献】
【０００３】
【特許文献１】特開２００２−２９６２３６号公報（請求項１、段落００２４−００２６）
【発明の概要】
【発明が解決しようとする課題】
【０００４】
上記特許文献１に開示されたセンサー装置は、ＬＣ共振回路を用いて、トナーの濃度を検出する。すなわち、このセンサー装置は、現像部のトナーとキャリア（磁性体）との比率が変化すると、ＬＣ共振回路の共振周波数が変化することを利用して、トナーの濃度を検出する。
【０００５】
ＬＣ共振回路を用いるセンサー装置では、インダクタンス及びキャパシタンスのばらつきや、現像部に取り付けられたセンサー装置の取り付け位置のばらつきが原因で、同じトナー濃度でもセンサー装置毎に共振周波数が異なる。このため、センサー装置毎に共振周波数を予め基準値に調整する必要がある。上記特許文献１に開示されたセンサー装置では、共用コンデンサーのキャパシタンスを調整することにより、共振周波数を調整している。
【０００６】
本発明は、共振周波数を調整できる、ＬＣ共振回路を用いたセンサー装置及びこれを備えた画像形成装置を提供することを目的とする。
【課題を解決するための手段】
【０００７】
上記目的を達成する本発明の第１の局面に係るセンサー装置は、基板と、前記基板上に形成された平面コイルであり、ＬＣ共振回路を構成する検出コイルと、前記ＬＣ共振回路を構成するコンデンサーと、前記基板上に形成され、前記検出コイルと前記コンデンサーとを接続する配線と、導体部材と、前記導体部材と前記検出コイルとが対向する面積、及び、前記導体部材と前記配線とが対向する面積の少なくともいずれか一方が可変可能に、前記導体部材の位置を調節する調節部と、を備える。
【０００８】
検出コイル付近に磁性体があると、検出コイルの見かけのインダクタンスが変化する。インダクタンスが変化すると、ＬＣ共振回路の共振周波数が変化する。センサー装置は、それを利用して、磁性体の濃度や量を検出する。
【０００９】
導体部材と検出コイルとが対向した状態で、検出コイルに電流が流れたとき、導体部材に誘導電流が流れる。この誘導電流によって、検出コイルの見かけのインダクタンスが低下するので、検出コイルを流れる電流が増える。導体部材と検出コイルとが対向する面積と、検出コイルの見かけのインダクタンスとは、相関関係にあり、導体部材と検出コイルとが対向する面積が大きくなると、検出コイルの見かけのインダクタンスが小さくなる。
【００１０】
導体部材と、検出コイルとコンデンサーとを接続する配線（以下、第１の配線）と、が対向したとき、コンデンサーの見かけのキャパシタンスが増加する。導体部材と第１の配線とが対向する面積と、コンデンサーの見かけのキャパシタンスとは、相関関係にあり、導体部材と第１の配線とが対向する面積が大きくなると、コンデンサーの見かけのキャパシタンスが大きくなる。
【００１１】
ＬＣ共振回路の共振周波数は、検出コイルのインダクタンスとコンデンサーのキャパシタンスとを含む式で表される。よって、導体部材と検出コイルとが対向する面積、及び、導体部材と第１の配線とが対向する面積の少なくともいずれか一方を可変可能にすれば、ＬＣ共振回路の共振周波数を調整することができる。
【００１２】
本発明の第１の局面に係るセンサー装置は、導体部材と検出コイルとが対向する面積、及び、導体部材と第１の配線とが対向する面積の少なくともいずれか一方が可変可能に、導体部材の位置を調節する調節部を備える。従って、ＬＣ共振回路を用いたセンサー装置において、共振周波数を調整することができる。
【００１３】
上記構成において、前記導体部材は、第１の導体部材と第２の導体部材とを含み、前記調節部は、前記第１の導体部材と前記検出コイルとが対向する面積が可変可能に、前記第１の導体部材の位置を調整する第１の調節部と、前記第２の導体部材と前記配線とが対向する面積が可変可能に、前記第２の導体部材の位置を調節する第２の調節部と、を含む。
【００１４】
この構成によれば、第１の導体部材と検出コイルとが対向する面積、及び、第２の導体部材と配線（上記第１の配線）とが対向する面積の両方が可変可能なので、いずれか一方の面積を可変可能とする態様と比べて、共振周波数をより細かく調整できる可能性を有する。
【００１５】
上記構成において、前記配線は、前記第２の導体部材と対向する部分が、他の部分と比べて太い幅を有する。
【００１６】
この構成によれば、第２の導体部材と配線（上記第１の配線）とが対向する面積を大きくできるので、コンデンサーの見かけのキャパシタンスの変動幅を大きくすることができる。これにより、共振周波数の調整範囲を広くすることが可能となる。
【００１７】
上記構成において、前記基板上に形成され、前記検出コイル及び前記配線を覆う絶縁性の表面保護膜を備え、前記調節部は、前記導体部材を前記表面保護膜上でスライドさせて、前記導体部材の位置を調節する。
【００１８】
この構成によれば、導体部材が検出コイルや配線（上記第１の配線）と接触するのを防止しつつ、導体部材をスライドさせることができる。
【００１９】
本発明の第２の局面に係る画像形成装置は、像担持体と、前記像担持体に静電潜像を描画する露光部と、前記像担持体に描画された前記静電潜像にトナーを供給して前記静電潜像を現像する現像部と、前記現像部のトナーの濃度又は残量を検出する前記センサー装置と、を備える。
【００２０】
本発明の第２の局面に係る画像形成装置は、本発明の第１の局面に係るセンサー装置を備えるので、本発明の第１の局面と同様の作用効果を有する。
【発明の効果】
【００２１】
本発明によれば、ＬＣ共振回路を用いたセンサー装置において、共振周波数を調整できる。
【図面の簡単な説明】
【００２２】
【図１】本実施形態に係るセンサー装置を示す平面図である。
【図２】本実施形態において、検出コイルＬ、コンデンサーＣ１、コンデンサーＣ２、インバータＩＮＶ１、インバータＩＮＶ２、及び、抵抗Ｒによって構成される回路を示す回路図である。
【図３】図１をＡ１−Ａ２線に沿って切断した断面図である。
【図４】導体部材の位置を調節する調節部の模式図である。
【図５】導体部材の位置を調整した後の調節部の模式図である。
【図６】調整部によって導体部材の位置が調節された後のセンサー装置の平面図である。
【図７】本実施形態の変形例において、調整部によって導体部材の位置が調節された後のセンサー装置の平面図である。
【図８】図１に示すセンサー装置を備える画像形成装置の構成を示すブロック図である。
【発明を実施するための形態】
【００２３】
以下、図面に基づいて本発明の実施形態を詳細に説明する。図１は、本実施形態に係るセンサー装置１を示す平面図である。センサー装置１は、基板１１、検出コイルＬ、コンデンサーＣ１、コンデンサーＣ２、インバータＩＮＶ１、インバータＩＮＶ２、抵抗Ｒ、導体部材１３、及び、調節部３０を備える。図２は、本実施形態において、検出コイルＬ、コンデンサーＣ１、コンデンサーＣ２、インバータＩＮＶ１、インバータＩＮＶ２、及び、抵抗Ｒによって構成される回路を示す回路図である。
【００２４】
図２を参照して、検出コイルＬ、コンデンサーＣ１、及び、コンデンサーＣ２によって、ＬＣ共振回路１７が構成される。ＬＣ共振回路１７として、ＣＬＣタイプで説明するが、このタイプに限定されない。例えば、ＬＣタイプでもよい。ＬＣタイプとは、一つの検出コイルと一つのコンデンサーとにより構成されるＬＣ共振回路１７である。
【００２５】
検出コイルＬの一端とコンデンサーＣ１の一端とが接続され、コンデンサーＣ１の他端が接地されている。検出コイルＬの他端とコンデンサーＣ２の一端とが接続され、コンデンサーＣ２の他端が接地されている。
【００２６】
インバータＩＮＶ１，ＩＮＶ２は、例えば、ＣＭＯＳインバータである。インバータＩＮＶ１の出力は、インバータＩＮＶ２の入力と接続されている。インバータＩＮＶ２の出力は、センサー装置１の出力となる。
【００２７】
インバータＩＮＶ１の入力は、検出コイルＬの一端と接続されている。インバータＩＮＶ１の出力及びインバータＩＮＶ２の入力は、抵抗Ｒを介して、検出コイルＬの他端と接続されている。
【００２８】
ＬＣ共振回路１７が共振することによって発生したパルスは、２段のインバータＩＮＶ１，ＩＮＶ２によって増幅されて、センサー装置１から出力される。
【００２９】
センサー装置１の動作を、検出対象が二成分現像剤に含まれるトナーの濃度を例にして説明する。二成分現像剤は、トナーと、磁性体からなるキャリアと、により構成される。キャリアは、磁性体であるので、検出コイルＬ付近のキャリアの濃度に応じて、検出コイルＬのインダクタンスが変化する。インダクタンスが変化すると、ＬＣ共振回路１７の共振周波数が変化する。つまり、二成分現像剤において、トナーとキャリアとの混合比が変化すると、二成分現像剤の透磁率が変化し、その結果、ＬＣ共振回路１７の共振周波数が変化する。
【００３０】
現像部のトナーが消費されたり、現像部に新たなトナーが供給されたりしたとき、トナーとキャリアとの混合比が変化し、トナーの濃度及びキャリアの濃度が変化する。トナーの濃度が高くなれば、キャリアの濃度が低くなり、トナーの濃度が低くなれば、キャリアの濃度が高くなる。画像形成装置は、トナーの濃度と共振周波数との関係を示すテーブルを予め記憶し、センサー装置１から出力されたパルスの周波数（共振周波数）からトナーの濃度を求める。
【００３１】
図１を参照して、基板１１は、絶縁性基板であり、基板１１の主表面上に、検出コイルＬ及び配線１９がパターニングによって形成されている。コンデンサーＣ１、コンデンサーＣ２、抵抗Ｒ、インバータＩＮＶ１及びインバータＩＮＶ２は、基板１１の主表面上に外付けされている。検出コイルＬ、コンデンサーＣ１、コンデンサーＣ２、抵抗Ｒ、インバータＩＮＶ１及びインバータＩＮＶ２は、配線１９によって接続され、図２に示す回路を構成する。
【００３２】
図３は、図１をＡ１−Ａ２線に沿って切断した断面図である。図１及び図３を参照して、配線１９ａは、基板１１の主表面に直接に形成されている。基板１１の主表面及び配線１９ａは、層間絶縁膜２１によって覆われている。層間絶縁膜２１上に、検出コイルＬ及び配線１９ａ以外の配線１９（例えば、配線１９ｂ、配線１９ｃ）が形成されている。
【００３３】
検出コイルＬは、渦巻き状の平面コイルである。検出コイルＬの他端は、渦巻きの中心に位置し、層間絶縁膜２１に埋め込まれたプラグ２７によって、配線１９ａの一端と接続されている。配線１９ａの他端は、層間絶縁膜２１に埋め込まれたプラグ２５によって、層間絶縁膜２１上に形成された配線１９ｂと接続されている。
【００３４】
検出コイルＬの他端は、配線１９ａ及び配線１９ｂを介して抵抗Ｒと接続され、かつ、配線１９ａ、配線１９ｂ及び配線１９ｃを介してコンデンサーＣ２と接続されている。
【００３５】
検出コイルＬ及び配線１９ａ以外の配線１９は、絶縁性の表面保護膜２３によって覆われている。
【００３６】
図１を参照して、センサー装置１は、さらに、基板１１の側部に設けられた、電源端子Ｖｃｃ、接地端子ＧＮＤ１、接地端子ＧＮＤ２、及び、出力端子ＯＰを備える。電源端子Ｖｃｃを介して、センサー装置１に電力が供給される。接地端子ＧＮＤ１を介して、コンデンサーＣ１が接地される。接地端子ＧＮＤ２を介して、コンデンサーＣ２が接地される。出力端子ＯＰを介して、インバータＩＮＶ２から出力されたパルスが、センサー装置１の外部に出力される。
【００３７】
２つの導体部材１３は、図３に示す表面保護膜２３上に配置されている。これらの導体部材１３を区別するとき、導体部材１３ａ，１３ｂと記載する。導体部材１３は、所定の形状（本実施形態では等脚台形）を有する板状の部材である。導体部材１３の材料は、銅、アルミニウム、鉄等の導電性を有する金属である。
【００３８】
導体部材１３は、矢印Ｂ方向及びこれと逆の矢印Ｃ方向に沿って、表面保護膜２３上でスライド可能されており、これにより、導体部材１３の位置が調節される。矢印Ｂ方向は、導体部材１３の前進方向である。矢印Ｃ方向は、導体部材１３の後退方向である。
【００３９】
調節部３０によって、導体部材１３の位置が調節される。調節部３０は、２つあり、これらを区別するとき、調節部３０ａ，３０ｂと記載する。
【００４０】
図４は、導体部材１３の位置を調節する調節部３０の模式図である。調節部３０は、つまみ部３１、雌ネジ部３３、圧縮コイルバネ３５、及び、保持部３７を備える。
【００４１】
雌ネジ部３３は、基板１１の一つの側部に取り付けられている。保持部３７は、雌ネジ部３３と対向して配置され、上記一つの側部と対向する基板１１の側部に取り付けられている。
【００４２】
導体部材１３には、その台形形状の上底部及び下底部がそれぞれ、約９０度に折り曲げられて、立上部３９，４１が形成されている。
【００４３】
圧縮コイルバネ３５は、その一端が立上部４１に固定され、他端が保持部３７に固定されている。
【００４４】
つまみ部３１は、雄ネジ部４３を有し、雄ネジ部４３は、雌ネジ部３３に嵌め込まれ、その先端が立上部３９と当接している。つまみ部３１を時計回りに回すと、つまみ部３１が矢印Ｂ方向に移動し、雄ネジ部４３の先端が立上部３９を押圧し、図５に示すように、導体部材１３が圧縮コイルバネ３５に抗して矢印Ｂ方向にスライドする。
【００４５】
つまみ部３１を反時計回りに回すと、つまみ部３１が矢印Ｃ方向に移動し、図４に示すように、導体部材１３が圧縮コイルバネ３５に押されて、導体部材１３は矢印Ｃ方向にスライドする。
【００４６】
図６は、調整部３０によって導体部材１３の位置が調節された後のセンサー装置１の平面図である。上述したように、調節部３０ａを時計回りに回すと、導体部材１３ａは、その台形形状の上底を先頭とし、矢印Ｂ方向にスライドし、検出コイルＬと部分的に対向する。導体部材１３ａの矢印Ｂ方向の移動量を多くすると、導体部材１３ａと検出コイルＬとの対向面積が大きくなる。
【００４７】
調節部３０ｂを時計回りに回すと、導体部材１３ｂは、その台形形状の上底を先頭とし、矢印Ｂ方向にスライドし、配線１９ｃと部分的に対向する。導体部材１３ｂの矢印Ｂ方向の移動量を多くすると、導体部材１３ｂと配線１９ｃとの対向面積が大きくなる。配線１９ｃは、検出コイルＬの他端（渦巻きの中心）とコンデンサーＣ２とを接続する配線１９の一部である。
【００４８】
本実施形態の主な効果を説明する。図６を参照して、検出コイルＬ付近に磁性体があると、検出コイルＬの見かけのインダクタンスが変化する。インダクタンスが変化すると、ＬＣ共振回路１７の共振周波数が変化する。センサー装置１は、それを利用して、磁性体の濃度や量を検出する。
【００４９】
導体部材１３ａと検出コイルＬとが対向した状態で、検出コイルＬに電流が流れたとき、導体部材１３ａに誘導電流が流れる。この誘導電流によって、検出コイルＬの見かけのインダクタンスが低下するので、検出コイルＬを流れる電流が増える。導体部材１３ａと検出コイルＬとが対向する面積と、検出コイルＬの見かけのインダクタンスとは、相関関係にあり、導体部材１３ａと検出コイルＬとが対向する面積が大きくなると、検出コイルＬの見かけのインダクタンスが小さくなる。
【００５０】
導体部材１３ｂと、検出コイルＬとコンデンサーＣ２とを接続する配線１９ｃと、が対向したとき、コンデンサーＣ２の見かけのキャパシタンスが増加する。導体部材１３ｂと配線１９ｃとが対向する面積と、コンデンサーＣ２の見かけのキャパシタンスとは、相関関係にあり、導体部材１３ｂと配線１９ｃとが対向する面積が大きくなると、コンデンサーＣ２の見かけのキャパシタンスが大きくなる。
【００５１】
ＬＣ共振回路１７の共振周波数は、コイルのインダクタンスとコンデンサーのキャパシタンスとを含む式で表される。ＣＬＣタイプの共振回路では、共振周波数Ｆが、以下の式で示される。
【００５２】
【数１】
0006304070.tif 000002
【００５３】
よって、導体部材１３ａと検出コイルＬとが対向する面積、及び、導体部材１３ｂと配線１９ｃとが対向する面積の少なくともいずれか一方を可変可能にすれば、ＬＣ共振回路１７の共振周波数を調整することができる。なお、導体部材１３ａと検出コイルＬとが対向している場合、検出コイルＬの見かけのインダクタンスが、比較的大きく減少し、導体部材１３ｂと配線１９ｃとが対向している場合、コンデンサーＣ２の見かけのキャパシタンスが比較的小さく増加する。
【００５４】
本実施形態に係るセンサー装置１によれば、導体部材１３ａと検出コイルＬとが対向する面積が可変可能に導体部材１３ａの位置を調節する調節部３０ａ、及び、導体部材１３ｂと配線１９ｃとが対向する面積が可変可能に導体部材１３ｂの位置を調節する調節部３０ｂを備える。従って、ＬＣ共振回路１７を用いたセンサー装置１において、共振周波数を調整することができる。
【００５５】
また、本実施形態によれば、導体部材１３ａと検出コイルＬとが対向する面積、及び、導体部材１３ｂと配線１９ｃとが対向する面積の両方が可変可能なので、いずれか一方の面積を可変可能とする態様と比べて、共振周波数をより細かく調整できる可能性を有する。
【００５６】
図４及び図５を参照して、本実施形態によれば、調節部３０は、導体部材１３を表面保護膜２３上でスライドさせて、導体部材１３の位置を調節する。従って、導体部材１３が検出コイルＬや配線１９ｃと接触するのを防止しつつ、導体部材１３をスライドさせることができる。
【００５７】
本実施形態の変形例を説明する。図７は、本実施形態の変形例において、調整部３０によって導体部材１３の位置が調節された後のセンサー装置３の平面図である。変形例に係るセンサー装置３が、本実施形態に係るセンサー装置１と相違するのは、配線１９ｃの幅であり、配線１９ｃの幅は、これ以外の配線１９の幅より太い。すなわち、配線１９は、導体部材１３ｂと対向する部分が、他の部分と比べて太い幅を有する。
【００５８】
変形例によれば、導体部材１３ｂと配線１９ｃとが対向する面積を大きくできるので、コンデンサーＣ２の見かけのキャパシタンスの変動幅を大きくすることができる。これにより、共振周波数の調整範囲を広くすることが可能となる。
【００５９】
本実施形態に係るセンサー装置１や変形例に係るセンサー装置３は、画像形成装置に搭載することができる。これを、センサー装置１を例にして説明する。図８は、本実施形態に係るセンサー装置１が搭載された画像形成装置５の構成を示すブロック図である。
【００６０】
画像形成装置５として、コピー、プリンター、スキャナー及びファクシミリの機能を有するデジタル複合機を例に説明する。画像形成装置５は、画像を印刷する機能を有する装置であればよく、デジタル複合機に限定されない。例えば、プリンターを画像形成装置５としてもよい。画像形成装置５は、印刷部１００、原稿読取部２００、原稿給送部３００、操作部４００、制御部５００、通信部６００、及び、トナー用コンテナー７００を備える。
【００６１】
原稿給送部３００は、原稿給送部３００に設けられた原稿載置部に１枚の原稿が置かれている場合、その原稿を原稿読取部２００に送り、原稿載置部に複数枚の原稿が置かれている場合、複数枚の原稿を連続的に原稿読取部２００に送る。
【００６２】
原稿読取部２００は、原稿台に載置された原稿や、原稿給送部３００から給送された原稿を読み取り、その原稿の画像データを出力する。
【００６３】
印刷部１００は、用紙貯留部１０１、画像形成部１０３、及び、定着部１０５を備える。用紙貯留部１０１は、用紙の束を貯留することができる。この貯留された用紙の束において、最上位の用紙がピックアップローラー（不図示）の駆動により、用紙搬送路（不図示）へ向けて送出される。用紙は用紙搬送路を通って、画像形成部１０３へ搬送される。
【００６４】
画像形成部１０３は搬送されてきた用紙にトナー像を形成する。画像形成部１０３は感光体ドラム１１３（像担持体の一例）、露光部１１５、現像部１１７、及び、転写部１１９を備える。露光部１１５は画像データ(原稿読取部２００から出力された画像データ、パソコンから送信された画像データ、ファクシミリ受信の画像データ等)に対応して変調された光を生成し、一様に帯電された感光体ドラム１１３の周面に照射する。これにより、感光体ドラム１１３の周面には画像データに対応する静電潜像が描画される。この状態で感光体ドラム１１３の周面に現像部１１７からトナーを供給することにより、周面には画像データに対応するトナー像が形成される。このトナー像は、転写部１１９によって先ほど説明した用紙貯留部１０１から搬送されてきた用紙に転写される。
【００６５】
トナー像が転写された用紙は定着部１０５に送られる。定着部１０５において、トナー像と用紙に熱と圧力が加えられて、トナー像は用紙に定着される。用紙は排紙トレイ（不図示）に排紙される。
【００６６】
現像部１１７の現像剤収容部１２１には、２成分現像剤が収容されている。現像剤収容部１２１の底壁部の外面には、図１に示すセンサー装置１が取り付けられている。センサー装置１は、現像剤収容部１２１に収容された２成分現像剤中のトナーの濃度を検出する。
【００６７】
現像剤収容部１２１のトナーが消費され、センサー装置１が、二成分現像剤中のトナーの濃度が低下したことを検出したとき、制御部５００は、トナー用コンテナー７００に設けられたトナー供給機構を作動させる。これにより、トナー用コンテナー７００から現像剤収容部１２１にトナーが補給される。
【００６８】
操作部４００は、操作キー部４０１と表示部４０３を備える。表示部４０３は、タッチパネル機能を有しており、ソフトキーを含む画面が表示される。ユーザーは、画面を見ながらソフトキーを操作することによって、コピー等の機能の実行に必要な設定等をする。
【００６９】
操作キー部４０１には、ハードキーからなる操作キーが設けられている。操作キーは、例えば、スタートキー、テンキー、リセットキー、コピー、プリンター、スキャナー及びファクシミリを切り換えるための機能切換キーである。
【００７０】
制御部５００は、ＣＰＵ、ＲＯＭ、及び、ＲＡＭを備える。ＣＰＵは、画像形成装置５を動作させるために必要な制御を、画像形成装置５の上記構成要素（例えば、印刷部１００）に対して実行する。ＲＯＭは、画像形成装置５の動作の制御に必要なソフトウェアを記憶している。ＲＡＭは、ソフトウェアの実行時に発生するデータの一時的な記憶及びアプリケーションソフトの記憶等に利用される。
【００７１】
通信部６００は、ファクシミリ通信部６０１及びネットワークＩ／Ｆ部６０３を備える。ファクシミリ通信部６０１は、相手先ファクシミリとの電話回線の接続を制御するＮＣＵ（Network Control Unit）及びファクシミリ通信用の信号を変復調する変復調回路を備える。ファクシミリ通信部６０１は、電話回線６０５に接続される。
【００７２】
ネットワークＩ／Ｆ部６０３は、ＬＡＮ（Local Area Network）６０７に接続される。ネットワークＩ／Ｆ部６０３は、ＬＡＮ６０７に接続されたパソコンとの間で通信を実行するための通信インターフェイス回路である。
【符号の説明】
【００７３】
１，３  センサー装置
５  画像形成装置
１１  基板
１３  導体部材
１３ａ  導体部材（第１の導体部材の一例）
１３ｂ  導体部材（第２の導体部材の一例）
１７  ＬＣ共振回路
１９  配線
１９ｃ  配線（検出コイルとコンデンサーとを接続する配線の一例）
２３  表面保護膜
３０  調節部
３０ａ  調節部（第１の調節部の一例）
３０ｂ  調節部（第２の調節部の一例）
１１３  感光体ドラム（像担持体の一例）
１１５  露光部
１１７  現像部
Ｌ  検出コイル
Ｃ１，Ｃ２  コンデンサー
【図１】
0006304070.tif 000003
【図２】
0006304070.tif 000004
【図３】
0006304070.tif 000005
【図４】
0006304070.tif 000006
【図５】
0006304070.tif 000007
【図６】
0006304070.tif 000008
【図７】
0006304070.tif 000009
【図８】
0006304070.tif 000010